【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
被検査物に測定光を照射することにより得られる反射光の収差および収差量を測定する収差測定手段と、前記収差測定手段により測定された前記収差に応じて収差の補正を行う収差補正手段と、前記収差測定手段と前記収差補正手段との処理を繰り返し制御する制御手段と、を有する眼底撮像装置の眼底撮像方法であって、
前記眼底撮像装置の変更手段が、前記収差測定手段で測定された前記収差を所定の次数の関数で表し、前記収差測定手段の測定結果および前記制御手段の制御結果のうち少なくともいずれか１つに応じて、前記所定の次数の関数を、当該所定の次数よりも高次の次数を含む関数に変更する変更工程と、
前記眼底撮像装置の前記収差補正手段が、前記変更工程で変更された前記関数により表わされる収差を補正する収差補正工程と、
を有することを特徴とする眼底撮像方法。
【請求項２】
前記収差測定手段の測定結果には、前記測定された収差量と、既に測定済みの収差量と前記測定された収差量との差分から求められる収差量の変化とのうち少なくとも１つが含まれ、
前記制御手段の制御結果は、前記処理の繰り返し回数または前記処理の開始からの経過を示す繰り返し時間であることを特徴とする請求項１に記載の眼底撮像方法。
【請求項３】
前記変更工程は、
前記収差測定手段で測定された前記反射光の収差量が予め定められた基準値未満であるか否かを判定する判定工程を有し、
前記判定工程で、前記反射光の収差量が前記基準値未満と判定される場合、前記変更工程は前記所定の次数の関数の変更を行わず、前記眼底撮像装置の撮像手段が撮像を行なうことを特徴とする請求項１または２に記載の眼底撮像方法。
【請求項４】
前記変更工程は、
前記収差量が前記基準値以上となる場合に、前記収差量の変化が予め定められた第２基準値未満であるか否かを判定する第２判定工程を更に有し、
前記第２判定工程で、前記収差量の変化が前記第２基準値未満であると判定された場合、前記変更工程は前記所定の次数の関数を、当該所定の次数よりも高次の次数を含む関数に変更することを特徴とする請求項３に記載の眼底撮像方法。
【請求項５】
前記変更工程は、
前記収差量の変化が第２基準値以上となる場合に、前記収差補正手段による処理の繰り返し回数が予め定められた第３基準値を超えるか否かを判定する第３判定工程を更に有し、
前記第３判定工程で、前記処理の繰り返し回数が前記第３基準値を超えると判定された場合、前記変更工程は前記所定の次数の関数を、当該所定の次数よりも高次の次数を含む関数に変更することを特徴とする請求項４に記載の眼底撮像方法。
【請求項６】
前記変更工程は、前記第３判定工程で、前記処理の繰り返し回数が前記第３基準値以下と判定された場合、前記関数の変更を行わないことを特徴とする請求項５に記載の眼底撮像方法。
【請求項７】
前記制御手段により前記処理が所定の繰り返し回数だけ繰り返えされた後、または前記制御手段による前記処理の開始から所定の繰り返し時間が経過したした後に、前記変更工程が、前記収差測定手段の測定結果に応じて前記所定の次数の関数を、当該所定の次数よりも高次の次数を含む関数に変更することを特徴とする請求項１乃至４のいずれか１項に記載の眼底撮像方法。
【請求項８】
前記収差補正工程は、前記収差補正手段が、前記変更工程で変更された前記関数により表わされる収差を補正するための補正量を算出する算出工程を有することを特徴とする請求項１乃至７のいずれか１項に記載の眼底撮像方法。
【請求項９】
前記収差補正手段が、第１の収差補正手段及び第２の収差補正手段を有し、
前記制御手段は、前記収差測定手段と第１の収差補正手段との処理、または、前記収差測定手段と第１の収差補正手段と第２の収差補正手段との処理を繰り返し制御し、
前記変更工程は、
前記収差測定手段で測定された前記収差を所定の次数の関数で表し、前記収差測定手段の測定結果および前記制御手段の制御結果のうち少なくとも１つに応じて、前記所定の次数の関数を、当該所定の次数よりも高次の次数を含む関数に変更するか否かを判定する判定工程を有し、
前記収差補正工程は、
前記判定工程が前記関数を変更すると判定した場合に、
前記第１の収差補正手段が、前記変更工程で変更された前記関数により表わされる収差のうち所定次数の収差を補正する第１の収差補正工程と、
前記第２の収差補正手段が、前記変更工程で変更された前記関数により表わされる収差のうち前記所定次数よりも高次の次数の収差を補正する第２の収差補正工程と、を有し、
前記判定工程が前記関数を変更しないと判定した場合に、
前記所定の次数の関数により表わされる収差を、当該所定次数の収差を補正する前記第１の収差補正手段が補正する第３の収差補正工程を有することを特徴とする請求項１乃至８のいずれか１項に記載の眼底撮像方法。
【請求項１０】
前記第１の収差補正工程は、前記第１の収差補正手段が、前記変更工程で変更された前記関数により表わされる収差を補正するための補正量を算出する第１の算出工程を有し、
前記第２の収差補正工程は、前記第２の収差補正手段が、前記変更工程で変更された前記関数により表わされる収差を補正するための補正量を算出する第２の算出工程を有し、
前記第３の収差補正工程は、前記第１の収差補正手段が、前記所定の次数の関数により表わされる収差を補正するための補正量を算出する第３の算出工程を有することを特徴とする請求項９に記載の眼底撮像方法。
【請求項１１】
前記関数はＺｅｒｎｉｋｅ関数であることを特徴とする請求項１乃至１０のいずれか１項に記載の眼底撮像方法。
【請求項１２】
コンピュータに、請求項１乃至１１のいずれか１項に記載の眼底撮像方法の各工程を実行させるためのプログラム。
【請求項１３】
被検査物に測定光を照射することにより得られる反射光の収差および収差量を測定する収差測定手段と、
前記収差測定手段により測定された前記収差に応じて収差の補正を行う収差補正手段と、
前記収差測定手段と前記収差補正手段との処理を繰り返し制御する制御手段と、
前記収差測定手段で測定された前記収差を所定の次数の関数で表し、前記収差測定手段の測定結果および前記制御手段の制御結果のうち少なくともいずれか１つに応じて、前記所定の次数の関数を、当該所定の次数よりも高次の次数を含む関数に変更する変更手段と、を備え、
前記収差補正手段は、前記変更手段で変更された前記関数により表わされる収差を補正することを特徴とする眼底撮像装置。
【請求項１４】
前記収差測定手段の測定結果には、前記測定された収差量と、既に測定済みの収差量と前記測定された収差量との差分から求められる収差量の変化とのうち少なくとも１つが含まれ、
前記制御手段の制御結果は、前記処理の繰り返し回数または前記処理の開始からの経過を示す繰り返し時間であることを特徴とする請求項１３に記載の眼底撮像装置。
【請求項１５】
前記変更手段は、前記収差測定手段で測定された前記反射光の収差量が予め定められた基準値未満であるか否かを判定する判定手段を有し、
前記判定手段が、前記反射光の収差量が前記基準値未満と判定した場合、前記変更手段は、前記所定の次数の関数の変更を行わず、前記眼底撮像装置の撮像手段が撮像を行なうことを特徴とする請求項１３または１４に記載の眼底撮像装置。
【請求項１６】
前記制御手段により前記処理が所定の繰り返し回数だけ繰り返えされた後、または前記制御手段による前記処理の開始から所定の繰り返し時間が経過したした後に、前記変更手段が、前記収差測定手段の測定結果に応じて前記所定の次数の関数を、当該所定の次数よりも高次の次数を含む関数に変更することを特徴とする請求項１３乃至１５のいずれか１項に記載の眼底撮像装置。
【請求項１７】
被検査物に測定光を照射することにより得られる反射光の収差を測定する収差測定手段と、前記収差に応じて光の収差の補正を行う収差補正手段と、前記収差測定手段と前記収差補正手段との処理を繰り返し制御する制御手段と、を有する眼底撮像装置の眼底撮像方法であって、
前記眼底撮像装置の選択手段が、前記収差測定手段の測定結果および前記制御手段の制御結果のうち少なくともいずれか１つに応じて、前記収差を表す所定の次数の第１の関数、および、当該所定の次数よりも高次の次数を含む第２の関数のうち、いずれか一方を選択する選択工程と、
前記眼底撮像装置の前記収差補正手段が、前記選択工程の選択に基づいて、前記第１の関数または前記第２の関数により表わされる収差を補正する収差補正工程と、
を有することを特徴とする眼底撮像装置の眼底撮像方法。
【請求項１８】
被検査物に測定光を照射することにより得られる反射光の収差を測定する収差測定手段と、
前記収差に応じて光の収差の補正を行う収差補正手段と、
前記収差測定手段と前記収差補正手段との処理を繰り返し制御する制御手段と、
前記収差測定手段の測定結果および前記制御手段の制御結果のうち少なくともいずれか１つに応じて、前記収差を表す所定の次数の第１の関数、および、当該所定の次数よりも高次の次数を含む第２の関数のうち、いずれか一方を選択する選択手段と、を備え、
前記収差補正手段は、前記選択手段の選択に基づいて、前記第１の関数または前記第２の関数により表わされる収差を補正する
ことを特徴とする眼底撮像装置。
【請求項１９】
コンピュータに、請求項１７に記載の眼底撮像方法の各工程を実行させるためのプログラム。